(57)【要約】  ガイド設定部（３）は、ステアリング制御情報に対して操舵フィーリングを調整するための編集ガイドを設定する。調整情報表示部（２）は、ステアリング制御情報を視覚的に示す制御特性グラフと編集ガイドとを同一画面上に表示する。編集情報入力部（１）で編集情報が取得された場合、グラフ編集部（４）は、その編集情報を用いて制御特性グラフを編集する。
2017009970.tif 000002
【特許請求の範囲】
【請求項１】
ステアリングのアシスト力の制御情報を示すステアリング制御情報に対して、車両のハンドルの操舵感を示す操舵フィーリングを調整するための編集ガイドを設定するガイド設定部と、
前記ステアリング制御情報を視覚的に示す制御特性グラフと前記編集ガイドとを同一画面上に表示する調整情報表示部と、
前記編集ガイドに基づく編集情報の入力情報を取得する編集情報入力部と、
前記編集情報入力部で編集情報が取得された場合に、当該編集情報を用いて前記制御特性グラフを編集するグラフ編集部とを備えたことを特徴とするパワーステアリング調整装置。
【請求項２】
前記ガイド設定部は、前記編集ガイドとして、前記制御特性グラフの操舵フィーリングに対応した領域に編集点を設定することを特徴とする請求項１記載のパワーステアリング調整装置。
【請求項３】
前記ガイド設定部は、前記編集点を前記制御特性グラフ上に設け、かつ、当該編集点の編集方向を設定された方向に限定することを特徴とする請求項２記載のパワーステアリング調整装置。
【請求項４】
前記ガイド設定部は、編集点が編集された場合は、前記制御特性グラフを近似曲線で補正することを特徴とする請求項３記載のパワーステアリング調整装置。
【請求項５】
前記ガイド設定部は、前記補正した制御特性グラフ上に編集点を設けると共に、当該編集点の両側または片側にハンドルを設け、当該ハンドルの傾きと長さに応じて編集点間の傾きと膨らみを補正することを特徴とする請求項４記載のパワーステアリング調整装置。
【請求項６】
前記ガイド設定部は、編集点の両側または片側に設けたハンドルの傾き及び長さのうち少なくとも一方の値を設定値以内に制限した編集ガイドを設定することを特徴とする請求項５記載のパワーステアリング調整装置。
【請求項７】
ステアリングのアシスト力の制御情報を示すステアリング制御情報に対して、車両のハンドルの操舵感を示す操舵フィーリングを調整するための編集方法を設定するガイド設定部と、
前記ステアリング制御情報を視覚的に示す制御特性グラフを画面上に表示する調整情報表示部と、
前記編集方法に基づく編集情報の入力情報を取得する編集情報入力部と、
前記編集情報入力部で前記編集方法の編集情報が取得された場合に、当該編集情報を用いて前記制御特性グラフを編集するグラフ編集部とを備えたことを特徴とするパワーステアリング調整装置。
【請求項８】
前記編集方法は、前記制御特性グラフの外周に沿った曲線または直線を与えることであり、
前記グラフ編集部は、前記編集情報を取得した場合、当該編集情報の曲線または直線に応じて新たな制御特性グラフを算出することを特徴とする請求項７記載のパワーステアリング調整装置。
【請求項９】
前記編集方法は、一方の点を軸として他方の点を回転させ、当該一方の点と他方の点とを結ぶ線分の傾きを与えることであり、
前記グラフ編集部は、前記編集情報を取得した場合、二点間の傾きに応じて新たな制御特性グラフを算出することを特徴とする請求項７記載のパワーステアリング調整装置。
【請求項１０】
前記編集方法は、制御特性グラフで示す特性が複数の曲線または直線で構成されている場合、編集点を、前記複数の曲線または直線の外側に位置する２点として当該２点間の距離で編集することであり、
前記グラフ編集部は、前記編集情報を取得した場合、前記２点間の距離に応じて新たな制御特性グラフを算出することを特徴とする請求項７記載のパワーステアリング調整装置。
【請求項１１】
前記調整情報表示部は、前記制御特性グラフの前記操舵フィーリングと対応する領域を表示色で識別して表示することを特徴とする請求項１記載のパワーステアリング調整装置。
【請求項１２】
前記調整情報表示部は、前記制御特性グラフの前記操舵フィーリングと対応する領域を直線で分割し、各領域を識別して表示することを特徴とする請求項１記載のパワーステアリング調整装置。
【請求項１３】
前記調整情報表示部は、前記領域毎に、対応する操舵フィーリングの情報を表示することを特徴とする請求項１２記載のパワーステアリング調整装置。
【発明の詳細な説明】
【技術分野】
【０００１】
この発明は、例えば、ＥＰＳ（Ｅｌｅｃｔｒｉｃ  Ｐｏｗｅｒ  Ｓｔｅｅｒｉｎｇ：電動パワーステアリング）の調整時に用いるパワーステアリング調整装置に関する。
【背景技術】
【０００２】
一般に、ＥＰＳでは、車両の運転者にとってハンドルの操舵フィーリングが最適となるよう、車両の開発工程において開発目標に合わせてステアリング制御に関する調整を行う。
従来、このような調整装置として、例えば、操舵特性線図を目視しながら操舵特性線図上で編集することにより、必要な編集量を直感的あるいは感覚的な量として把握し、開発工程における車両の開発目標やドライバの個性に合った操舵フィーリングに再設定するようにしたものがあった（例えば特許文献１参照）。【０００３】
また、表示装置の操舵特性画面上に表示された操舵特性を、目視しながら操作スイッチ群を用いて、操舵特性の線図をクリックしたり、ドローしたりして操作特性を編集し、これを保存することにより運転者の個性に見合った多様な操舵フィーリングを得るようにしたものがあった（例えば、特許文献２参照）。
【先行技術文献】
【特許文献】
【０００４】
【特許文献１】特開２００５−２２５４３０号公報
【特許文献２】特開２００２−２９３２５７号公報
【発明の概要】
【発明が解決しようとする課題】
【０００５】
操舵フィーリングを調整する場合、ステアリング制御情報に関するグラフの傾きや幅を編集することが重要である。しかしながら、上記特許文献１、２に記載された従来の技術では、所望する操舵フィーリングを得るにはグラフのどの部分をどのように編集すればよいか、といったことが示されていなかった。このため、従来、操舵フィーリングを調整する場合は、複数の配列データ値を入力してグラフの傾きや幅を編集しなければならず、調整作業が面倒であるという問題点があった。その結果、調整作業に不慣れな者ではグラフの編集が困難であり、また、調整者によって操舵フィーリングに対応する領域が異なってしまうという問題点があった。【０００６】
この発明は、かかる問題を解決するためになされたもので、調整作業に不慣れであっても容易に操舵フィーリングの調整作業を行うことのできるパワーステアリング調整装置を提供することを目的とする。
【課題を解決するための手段】
【０００７】
この発明に係るパワーステアリング調整装置は、ステアリングのアシスト力の制御情報を示すステアリング制御情報に対して、車両のハンドルの操舵感を示す操舵フィーリングを調整するための編集ガイドを設定するガイド設定部と、ステアリング制御情報を視覚的に示す制御特性グラフと編集ガイドとを同一画面上に表示する調整情報表示部と、編集ガイドに基づく編集情報の入力情報を取得する編集情報入力部と、編集情報入力部で編集情報が取得された場合に、編集情報を用いて制御特性グラフを編集するグラフ編集部とを備えたものである。
【発明の効果】
【０００８】
この発明に係るパワーステアリング調整装置は、ステアリングのアシスト力の制御情報を示すステアリング制御情報に対して、車両のハンドルの操舵感を示す操舵フィーリングを調整するための編集ガイドを設定するようにしたものである。これにより、調整作業に不慣れであっても容易に操舵フィーリングの調整作業を行うことができる。
【図面の簡単な説明】
【０００９】
【図１】この発明の実施の形態１のパワーステアリング調整装置を示す構成図である。
【図２】この発明の実施の形態１のパワーステアリング調整装置の動作を示すフローチャートである。
【図３】この発明の実施の形態１のパワーステアリング調整装置のステアリング制御情報の制御特性グラフと編集ガイドの表示例を示す説明図である。
【図４】この発明の実施の形態１のパワーステアリング調整装置の編集方向を示す説明図である。
【図５】この発明の実施の形態１のパワーステアリング調整装置の編集入力による補正動作を示す説明図である。
【図６】この発明の実施の形態１のパワーステアリング調整装置の編集点にハンドルを設ける例の説明図である。
【図７】この発明の実施の形態１のパワーステアリング調整装置の第１の編集方法を示す説明図である。
【図８】この発明の実施の形態１のパワーステアリング調整装置の第２の編集方法を示す説明図である。
【図９】この発明の実施の形態１のパワーステアリング調整装置の第３の編集方法を示す説明図である。
【図１０】この発明の実施の形態１のパワーステアリング調整装置の制御特性グラフを操舵フィーリングに対応して表示を変えるようにした例を示す説明図である。
【図１１】この発明の実施の形態１のパワーステアリング調整装置の制御特性グラフの領域毎にフィーリング情報を表示するようにした例を示す説明図である。
【発明を実施するための形態】
【００１０】
以下、この発明をより詳細に説明するために、この発明を実施するための形態について、添付の図面に従って説明する。
実施の形態１．
図１は、本実施の形態によるパワーステアリング調整装置を示す構成図である。
本実施の形態によるパワーステアリング調整装置は、図１に示すように、編集情報入力部１、調整情報表示部２、ガイド設定部３、グラフ編集部４、ＣＡＮデータ取得部６、ステアリング制御情報出力部７を備える。
【００１１】
編集情報入力部１は、パワーステアリング調整装置の使用者が入力した編集情報を取得する処理部である。調整情報表示部２は、ガイド設定部３とグラフ編集部４とから出力されたステアリング制御情報の制御特性グラフと編集ガイドとを同一画面上に表示する表示部である。なお、これら編集情報入力部１及び調整情報表示部２は、車載ナビゲーション装置、スマートフォン及びタブレット端末といった画面表示と入力とを画面上で行うタッチパネルを有するデバイスを用いて構成されているが、編集情報入力部１と調整情報表示部２とが独立したデバイスであってもよい。ガイド設定部３は、ステアリングのアシスト力の制御情報であるステアリング制御情報を示すグラフに対して、ハンドルの操舵感を示す操舵フィーリングを調整するための編集ガイドを設定する処理部である。グラフ編集部４は、編集情報入力部１で編集情報の入力を受け付けた場合に、ステアリング制御情報の制御特性グラフを編集する処理部である。また、これらガイド設定部３とグラフ編集部４とで、ステアリング制御情報を算出するステアリング制御情報算出部５が構成されている。
【００１２】
ステアリング制御情報は、単独の数値の場合や、二変数・三変数の配列データの場合があり、二変数・三変数の場合は、二次元・三次元のグラフで表現することが可能である。例えば「操舵角度−操舵トルク値」、「路面から受ける反力−モータ補償電流」、「操舵トルク−モータ補償電流」、「操舵角度−操舵トルク値−車速」、「路面から受ける反力−モータ補償電流−車速」、「操舵トルク−モータ補償電流−車速」などの制御特性グラフが考えられる。また、操舵フィーリングとは、車両のハンドルを操作したときに操作者が感じる操舵感を示す値であり、例えば、以下の４種の値がある。
【００１３】
４種のフィーリング値は、例えば後述する図３（ａ）に示すような操舵角度と操舵トルクとの関係を示すグラフの操舵角度と操舵トルクとの関係から求められる値であり、各フィーリング値は次のような値である。
・オンセンタフィーリング：例えば「操舵角度―操舵トルク」グラフの操舵角度０°付近のトルク値と操舵角度の傾き、トルク値が０になるときのトルク値と操舵角度の傾き、及び「路面反力―補償電流」グラフの路面反力０Ｎｍ付近の路面反力と補償電流の傾き、などのグラフ形状が対応する。
・ハンドル戻りフィーリング：例えば車速が４０ｋｍ／ｈの場合、「操舵角度―操舵トルク」グラフの操舵角度６０°付近のトルク値と操舵角度の傾き、及び「路面反力―補償電流」グラフの補償電流が０Ａｒｍｓとなる付近の路面反力と補償電流の傾き、などのグラフ形状が対応する。
・バネフィーリング：例えば車速４０ｋｍ／ｈの場合、「操舵角度―操舵トルク」グラフの操舵角度１２０°付近のトルク値の切り増し時と切り戻し時の差分、及び「操舵角度―補償電流」や「操舵トルク値―補償電流」グラフの補償電流が０Ａｒｍｓとなる付近の路面反力と補償電流の傾き、などのグラフ形状が対応する。
・ビルドアップフィーリング：例えば車速４０ｋｍ／ｈの場合、「操舵角度―操舵トルク」グラフの操舵角度およそ０°〜１２０°でのトルク値と操舵角度の傾き、及び「操舵角度―補償電流」や「操舵トルク値―補償電流」グラフの補償電流が０Ａｒｍｓとなる付近の路面反力と補償電流の傾き、などのグラフ形状が対応する。
【００１４】
ＣＡＮデータ取得部６は、ＣＡＮ（Ｃｏｎｔｒｏｌｌｅｒ  Ａｒｅａ  Ｎｅｔｗｏｒｋ）データを取得し、ステアリング制御情報算出部５に出力するための機能部である。また、ＣＡＮデータ取得部６は、車両シミュレータからの車速情報やハンドル角度情報を取得する機能を有している。これにより、車両シミュレータとして車速情報やハンドル角度情報を与えることにより、車両走行時以外に停車時でも編集作業が可能である。
ステアリング制御情報出力部７は、ステアリング制御情報算出部５で算出されたステアリング制御情報をアシストモータといったパワーアシストの対象となるステアリング機構に与えるためのインタフェース部である。
【００１５】
次に、このように構成された実施の形態１の動作について説明する。
図２は、実施の形態１のパワーステアリング調整装置の動作を示すフローチャートである。
先ず、車両のエンジンが起動されると（ステップＳＴ１）、パワーステアリング調整装置では、ＣＡＮデータ取得部６よりＣＡＮデータを取得する（ステップＳＴ２）。次に、パワーステアリング調整装置は、編集情報入力部１より新たな編集情報が入力されたかを判定し（ステップＳＴ３）、新たな編集情報が入力されていない場合はステップＳＴ２で取得した車速に応じたステアリング制御情報の制御特性グラフと、所定の編集ガイドの情報を調整情報表示部２に出力する（ステップＳＴ５）。調整情報表示部２は、ガイド設定部３から取得した編集ガイド情報に基づく編集ガイドと、車速に応じたステアリング制御情報の制御特性グラフを同一画面上に表示する（ステップＳＴ６）。
【００１６】
図３は、ステアリング制御情報の制御特性グラフと編集ガイドの表示例を示す説明図である。図示のように、ステアリング制御情報の制御特性グラフ中、縦線で区画した操舵フィーリングに対応した領域の制御特性グラフ上に編集点が設けられている。なお、図３（ａ）は、操舵角度と操舵トルクとの関係を示すステアリング制御情報、図３（ｂ）は、各種のパラメータと補償電流との関係を示すステアリング制御情報である。ここで、図３（ａ）に示す操舵角度と操舵トルクの関係を示す制御特性グラフは、例えば、「路面から受ける反力とモータ補償電流との関係」、「操舵トルクとモータ補償電流との関係」といった、各種パラメータとモータ補償電流の関係を示す図３（ｂ）に示すような制御特性グラフを集約して示す値である。すなわち、図３（ａ）に示す制御特性グラフは、走行経験豊富な専門家の感性に基づく図３（ｂ）に示すような複数の制御特性グラフを集約した値を示している。また、フィーリング値は、図３（ａ）に示す制御特性グラフから求められる値であるため、フィーリング値を確認しながら調整することで、専門家でない調整者であっても調整が可能となる。また、図３に示す例では、編集点は４点であり、図３（ａ）中の編集点に対応した編集点が、図３（ｂ）中でも示されている。
【００１７】
なお、図３（ａ）では操舵角度が−１５０°〜＋１５０°を表示しているが、この操舵角度が車速に応じて変化する。例えば、車速４０ｋｍ／ｈでは操舵角度−１２０°〜＋１２０°を表示し、車速２０ｋｍ／ｈでは操舵角度−１５０°〜＋１５０°を表示する、といった変化である。
【００１８】
また、ガイド設定部３は、編集点の編集方向を、Ｘ軸またはＹ軸方向、上下または左右方向といったように設定された方向に限定する。
図４は、編集方向を示す説明図である。図４（ａ）では、Ｘ軸と交差する位置の編集点４０１はＸ軸方向に、Ｙ軸と交差する位置の編集点４０２はＹ軸方向に編集方向が限定されている。また、図４（ｂ）では、Ｘ軸と交差する位置の編集点４０３はＸ軸方向に、Ｘ軸及びＹ軸とは交差していない編集点４０４は上下方向に編集方向が限定されている。なお、編集点の位置に応じて左右方向への限定であってもよい。
このような編集方向の限定により、編集点を使ってグラフを編集する際に、フィーリングと対応する値、傾き、膨らみに限定して変更することができる。
【００１９】
次に、ステップＳＴ３において、編集情報入力部１から編集情報入力が行われた場合について説明する。編集情報入力部１から編集点に対する編集情報が入力されると、グラフ編集部４は、調整情報表示部２で表示していたグラフに対して補正を行う（ステップＳＴ４）。図５（ａ）（ｂ）は、これを示す説明図である。これらの図の矢印５０１，５０２に示すように、グラフ編集部４はグラフ全体が連続的な形になるように近似曲線で補正を行う。また、ガイド設定部３は、グラフ編集部４によって補正されたグラフに対する編集ガイドを設定する（ステップＳＴ５）。これにより調整情報表示部２は、編集情報入力部１からの編集情報の入力に対応して補正が行われたグラフと、この制御特性グラフに対応した新たな編集ガイドを表示する（ステップＳＴ６）。
【００２０】
また、図６に示すように、編集点の両サイドにハンドルを設け、ハンドルの傾きと長さによって編集点間の膨らみを編集するようにしてもよい。なお、グラフ上の端点に設けられた編集点ではハンドルは内側方向のみとする。例えば、ステップＳＴ４でグラフ編集が行われた場合、ガイド設定部３は、図６（ａ）（ｂ）に示すような両サイドにハンドルを持つ編集点を設定する。ハンドルは、その傾きと編集点から両端への長さが調整できるよう設定されており、調整者はハンドルを操作することで、グラフの膨らみを調整することができる。例えば、グラフ編集部４は、ハンドルが長い程膨らみを大きくし、また、ハンドルの傾きが急な程グラフの傾きの絶対値を大きくする、といった補正を行う。
【００２１】
また、ガイド設定部３が、編集できるハンドルの傾きや長さなどに制限を設けても良く、例えば、ハンドルの傾きの絶対値が９０°よりも大きくならないように制限する場合、それ以上大きな傾きにハンドルが操作された際は表示が絶対値９０°の位置で動かず、その入力を受け付けないこととする。また、例えば、隣り合う二つの編集点に設けたハンドルが交差しないようにハンドルの長さを制限する場合、一方の編集点に設けたハンドルの横方向（Ｘ軸）の値が、もう一方の編集点とそのハンドルの間となる値に入力された際は、表示は二つのハンドルの横方向（Ｘ軸）が同じ値となる位置で動かず、入力を受け付けないこととする。
【００２２】
以上の例では、ガイド設定部３は編集ガイドを設定するようにしたが、編集方法を設定するようにしてもよい。
図７は、ステアリング制御情報の制御特性グラフに対し、１本の指でグラフ周辺をなぞる動きにより指の動きに合わせた線を編集情報として入力する例を示している。この場合、ガイド設定部３は、編集方法として図７（ａ）に示すようなグラフ周辺への曲線入力があった場合に編集情報として認識するよう設定する。編集情報入力部１は、グラフ周辺への曲線入力があった場合、これを編集情報としてステアリング制御情報算出部５に出力する。これにより、グラフ編集部４は、図７（ｂ）に示すように、なぞり線に合わせた新たなグラフ線を算出し、調整情報表示部２はこれを表示する。これが図７（ｃ）に示すグラフである。
【００２３】
また、図８は、ステアリング制御情報の制御特性グラフに対し、２本の指でコンパスのように、一方を軸に他方で円を描くような動きとし、２本の指を繋いだ傾きの線を編集情報として入力する例を示している。この場合、ガイド設定部３は、編集方法として図８（ａ）に示すような一方の点を軸として他方の点との線が入力された場合に編集情報として認識するよう設定する。編集情報入力部１は、このような入力があった場合、これを編集情報としてステアリング制御情報算出部５に出力する。これにより、グラフ編集部４は、図８（ｂ）に示すように、傾きの線に合わせ、新たなグラフ線を算出し、調整情報表示部２はこれを表示する。これが図８（ｃ）に示すグラフである。
【００２４】
さらに、図９は、ステアリング制御情報の制御特性グラフに対し、２本の指で指の間の幅を広げたり狭めたりする動きによりグラフの幅を調整する例を示している。この場合、ガイド設定部３は、編集方法として図９（ａ）に示すような動きを編集情報として認識するよう設定する。すなわち、この編集方法では、編集点を、複数の曲線または直線の外側に位置する２点としてこれら２点間の距離を編集情報として入力する。編集情報入力部１は、このような入力があった場合、２点間の距離を線幅の編集情報としてステアリング制御情報算出部５に出力する。これにより、グラフ編集部４は、図９（ｂ）に示すように、編集情報の線幅に合わせ、新たなグラフ線を算出し、調整情報表示部２はこれを表示する。これが図９（ｃ）に示すグラフである。バネフィーリングは「操舵角度―操舵トルク」グラフの操舵角度１２０°付近のトルク値の差分に対応するため、このような編集方法は、特にバネフィーリングの調整を行うのに有効である。
【００２５】
なお、図７〜図９に示した編集情報の入力を調整者の指で行うとしたが、１点または２点が指定できるものであれば指による入力に限定されるものではない。
【００２６】
以上のような調整入力が行われた後、図示しない確定ボタンが押下される、といった調整情報表示部２による表示内容への確定操作が行われると（ステップＳＴ７）、ステアリング制御情報算出部５で算出されたステアリング制御情報がステアリング制御情報出力部７によってステアリング機構に出力される（ステップＳＴ８）。
【００２７】
なお、調整情報表示部２で表示するステアリング制御情報の制御特性グラフにおいて、操舵フィーリングに対応して表示を変えるようにしてもよい。図１０は、この表示例を示すものであり、例えばオンセンタフィーリングを青色等の濃色で示し、ハンドル戻りフィーリングを黄色等の淡色で示す、といった表示を行う。これにより、ステアリング制御情報と操舵フィーリングとの関係を調整者に対して明確に示すことができる。
【００２８】
また、図１１に示すように、Ｘ軸方向を区画するための縦線を表示し、各領域がどの操舵フィーリングに対応しているかを示すフィーリング情報を表示するようにしてもよい。
【００２９】
さらに、パワーステアリング調整装置として、最初に図１０に示すような表示色の制御特性グラフを表示し、画面タッチが行われると編集点が表示されるよう構成してもよい。
【００３０】
以上説明したように、実施の形態１のパワーステアリング調整装置によれば、ステアリングのアシスト力の制御情報を示すステアリング制御情報に対して、車両のハンドルの操舵感を示す操舵フィーリングを調整するための編集ガイドを設定するガイド設定部と、ステアリング制御情報を視覚的に示す制御特性グラフと編集ガイドとを同一画面上に表示する調整情報表示部と、編集ガイドに基づく編集情報の入力情報を取得する編集情報入力部と、編集情報入力部で編集情報が取得された場合に、編集情報を用いて制御特性グラフを編集するグラフ編集部とを備えたので、調整作業に不慣れであっても容易に操舵フィーリングの調整作業を行うことができる。
【００３１】
また、実施の形態１のパワーステアリング調整装置によれば、ガイド設定部は、編集ガイドとして、制御特性グラフの操舵フィーリングに対応した領域に編集点を設定するようにしたので、操舵フィーリングを調整するために制御特性グラフのどの領域を編集すればよいか、といったことを容易に判別することができる。
【００３２】
また、実施の形態１のパワーステアリング調整装置によれば、ガイド設定部は、編集点を制御特性グラフ上に設け、かつ、編集点の編集方向を設定された方向に限定するようにしたので、操舵フィーリングに対応した制御特性グラフを容易に得ることができる。
【００３３】
また、実施の形態１のパワーステアリング調整装置によれば、ガイド設定部は、編集点が編集された場合は、制御特性グラフを近似曲線で補正するようにしたので、編集された場合でも滑らかな制御特性グラフを得ることができる。
【００３４】
また、実施の形態１のパワーステアリング調整装置によれば、ガイド設定部は、補正した制御特性グラフ上に編集点を設けると共に、編集点の両側または片側にハンドルを設け、ハンドルの傾きと長さに応じて編集点間の傾きと膨らみを補正するようにしたので、容易に所望する操舵フィーリングの制御特性に調整することができる。
【００３５】
また、実施の形態１のパワーステアリング調整装置によれば、ガイド設定部は、編集点の両側または片側に設けたハンドルの傾き及び長さのうち少なくとも一方の値を設定値以内に制限した編集ガイドを設定するようにしたので、誤った操舵フィーリングの編集を未然に防止することができる。
【００３６】
また、実施の形態１のパワーステアリング調整装置によれば、ステアリングのアシスト力の制御情報を示すステアリング制御情報に対して、車両のハンドルの操舵感を示す操舵フィーリングを調整するための編集方法を設定するガイド設定部と、ステアリング制御情報を視覚的に示す制御特性グラフを画面上に表示する調整情報表示部と、記編集方法に基づく編集情報の入力情報を取得する編集情報入力部と、編集情報入力部で編集方法の編集情報が取得された場合に、編集情報を用いて制御特性グラフを編集するグラフ編集部とを備えたので、調整作業に不慣れであっても容易に操舵フィーリングの調整作業を行うことができる。
【００３７】
また、実施の形態１のパワーステアリング調整装置によれば、編集方法は、制御特性グラフの外周に沿った曲線または直線を与えることであり、グラフ編集部は、編集情報を取得した場合、編集情報の曲線または直線に応じて新たな制御特性グラフを算出するようにしたので、調整作業に不慣れであっても容易に操舵フィーリングの調整作業を行うことができる。
【００３８】
また、実施の形態１のパワーステアリング調整装置によれば、編集方法は、一方の点を軸として他方の点を回転させ、一方の点と他方の点とを結ぶ線分の傾きを与えることであり、グラフ編集部は、編集情報を取得した場合、二点間の傾きに応じて新たな制御特性グラフを算出するようにしたので、調整作業に不慣れであっても容易に操舵フィーリングの調整作業を行うことができる。
【００３９】
また、実施の形態１のパワーステアリング調整装置によれば、編集方法は、制御特性グラフで示す特性が複数の曲線または直線で構成されている場合、編集点を、複数の曲線または直線の外側に位置する２点として２点間の距離で編集することであり、グラフ編集部は、編集情報を取得した場合、２点間の距離に応じて新たな制御特性グラフを算出するようにしたので、調整作業に不慣れであっても容易に操舵フィーリングの調整作業を行うことができ、特に、操舵フィーリングとしてバネフィーリングを容易に調整することができる。
【００４０】
また、実施の形態１のパワーステアリング調整装置によれば、調整情報表示部は、制御特性グラフの操舵フィーリングと対応する領域を表示色で識別して表示するようにしたので、容易に制御特性グラフの操舵フィーリングと対応する領域を認識することができる。
【００４１】
また、実施の形態１のパワーステアリング調整装置によれば、調整情報表示部は、制御特性グラフの操舵フィーリングと対応する領域を直線で分割し、各領域を識別して表示するようにしたので、容易に制御特性グラフの操舵フィーリングと対応する領域を認識することができる。
【００４２】
また、実施の形態１のパワーステアリング調整装置によれば、調整情報表示部は、領域毎に、対応する操舵フィーリングの情報を表示するようにしたので、容易に制御特性グラフの操舵フィーリングと対応する領域を認識することができる。
【００４３】
なお、本願発明はその発明の範囲内において、実施の形態の任意の構成要素の変形、もしくは実施の形態の任意の構成要素の省略が可能である。
【産業上の利用可能性】
【００４４】
以上のように、この発明に係るパワーステアリング調整装置は、車両のステアリング制御の調整を行う際の調整補助の構成に関するものであり、車両開発時や、ドライバが操舵特性を変更したい場合に、ステアリング制御の調整に用いるのに適している。
【符号の説明】
【００４５】
１  編集情報入力部、２  調整情報表示部、３  ガイド設定部、４  グラフ編集部、５  ステアリング制御情報算出部、６  ＣＡＮデータ取得部、７  ステアリング制御情報出力部。
【図１】
2017009970.tif 000003
【図２】
2017009970.tif 000004
【図３】
2017009970.tif 000005
【図４】
2017009970.tif 000006
【図５】
2017009970.tif 000007
【図６】
2017009970.tif 000008
【図７】
2017009970.tif 000009
【図８】
2017009970.tif 000010
【図９】
2017009970.tif 000011
【図１０】
2017009970.tif 000012
【図１１】
2017009970.tif 000013
【国際調査報告】
2017009970.tif 000014
2017009970.tif 000015
2017009970.tif 000016
2017009970.tif 000017